(57)【要約】      （修正有）【課題】植栽物への自然給水を可能にすると共に、観賞魚が飼育される水槽と植栽物が植込まれる植木鉢とを一体化した器型の動植物共生観賞用鉢を提供する。【解決手段】観賞魚Ｆが飼育される水槽鉢部２０と、植栽物Ｓが植込まれる植木鉢部２１と、で構成される動植物共生観賞用鉢１０であって、動植物共生観賞用鉢１０は、上方が開口する所定形状を有した器型に形成されると共に、仕切り壁２２によって水槽鉢部２０と植木鉢部２１に二分割されて成り、仕切り壁２２には一乃至複数の通水孔２３が穿設されて成り、通水孔２３を介して水槽鉢部２０から植木鉢部２１に向けて水分Ｗが自然補給される手段を採る。【選択図】図１
2020191821.tif 000002
【特許請求の範囲】
【請求項１】
観賞魚が飼育される水槽鉢部と、植栽物が植込まれる植木鉢部と、で構成される動植物共生観賞用鉢であって、
前記動植物共生観賞用鉢は、上方が開口する所定形状を有した器型に形成されると共に、仕切り壁によって水槽鉢部と植木鉢部に二分割されて成り、
前記仕切り壁には一乃至複数の通水孔が穿設されて成り、
前記通水孔を介して前記水槽鉢部から前記植木鉢部に向けて水分が自然補給されることを特徴とする動植物共生観賞用鉢。
【請求項２】
前記仕切り壁に穿設される通水孔が、水槽鉢部側から植木鉢部側に向かって縮径されるテーパ状に形成されて成ることを特徴とする請求項１に記載の動植物共生観賞用鉢。
【請求項３】
前記仕切り壁における水槽鉢部側あるいは植木鉢部側の何れか一方若しくは両方の側面に、透水シートまたは不織布が貼設されて成ることを特徴とする請求項１または請求項２に記載の動植物共生観賞用鉢。
【請求項４】
前記植木鉢部における底面部所定箇所に、一乃至複数の水抜き孔が備えられて成ることを特徴とする請求項１乃至請求項３の何れかに記載の動植物共生観賞用鉢。
【発明の詳細な説明】
【技術分野】
【０００１】
本発明は、観賞魚が飼育される水槽と植栽物が植込まれる植木鉢とを一体化した器型の動植物共生観賞用鉢に関する。
【背景技術】
【０００２】
観賞魚と観賞植物とを同時に興じる際、水槽の上に植物を植えた鉢を載置するなどしていた。その際、鉢が嵩張って室内景観を阻害したり、水槽内を上部より照らす光源の発熱により、植物の根焼け・葉焼け・乾燥・水温の上昇等の発育不良要件が引き起こされたりすることとなるため、水槽の上部に鉢を載置することは好ましいものでなかった。
【０００３】
また、水槽の上部に植木鉢を載せることにより、水槽内の通気性が悪くなって蒸れやすくなると共に、水槽の足し水作業時は鉢を取り除いて給水管理しなければならず、煩雑さが伴うものであった。
【０００４】
従来より、鉢設置台・水槽設置台に小型の光源を設け、鉢物及び水槽内を照明して簡単な管理で植生物を観賞する水槽ならびに植木鉢の提案がなされている。
【０００５】
上記のような従来における提案例としては、大きな鉢形の容器、植木鉢又は花瓶の上に小さな植木鉢をのせる二重構造で、植替えが簡単で自動吸水が出来、下の植木鉢、花瓶に多機能鉱石「クイックライト」を敷き、水を入れて、その特性を利用した「植物活力と環境効果を持続する植木鉢、花瓶、透明な観賞用水槽容器」（特許文献１参照）が提案され、公知技術となっている。具体的には、大きな鉢形の容器や植木鉢又は花瓶の上に小さな植木鉢を乗せる二重構造で、上に乗る植木鉢には、土の表面に多機能鉱石「クイックライト」を敷き、下の植木鉢又は花瓶の内部底部には、いろいろな特性のある多機能鉱石「クイックライト」を敷いて水をいれ、紐又は不織布で上に載る植木鉢と下の植木鉢又は花瓶に自動吸水機能を持たせ、上の植木鉢に吸水し、下の植木鉢又は花瓶には観賞魚等の魚を入れて、観賞用として楽しめると同時に水が長期間腐らないなどの特徴を持った、植物活力と環境効果を持続する植木鉢、花瓶、透明な観賞用水槽容器の提案である。
【０００６】
しかしながら、上記提案によれば、大きな鉢形の容器、植木鉢又は花瓶の上に小さな植木鉢を載せて、大きな鉢形の容器、植木鉢又は花瓶の上面を塞ぐ二重構造を採用していることから、下の植木鉢又は花瓶に観賞魚等の魚を入れた場合に、水槽への酸素の供給が十分に行きわたらず、結果として観賞魚等の魚の飼育が困難になる、といった問題があった。
【０００７】
また、従来の提案例として、光源の小型化、光源を鉢設置台の底へ設ける事を容易にし、節電及び植物の根焼け・葉焼け・乾燥・水温の上昇を防止すると共に、給水の管理を容易にする筒を設け、鉢物の入れ替えが容易で、植生物が共生出来る明るい植生物観賞用水槽を実現する「鉢設置台」（特許文献２参照）が提案され、公知技術となっている。具体的には、鉢設置台の底に水槽内を照明する発光ダイオード部を設け、鉢設置台の内側に通気・給水用の筒を設け、さらに、鉢物の光源は水槽設置台に立つ支柱の先端に発光ダイオード部を設置し、別途に鉢を製作し、鉢設置台に入れて使用する提案である。
【０００８】
しかしながら、上記提案によれば、鉢設置台の上部に発光ダイオード部が設けられることによって、装置自体が複雑化ならびに高額化されると共に、維持管費ならびに水槽の水替え時の難易度が高い、といった問題があった。
【０００９】
さらに、濾過槽・コード・ヒーターなどを水槽上部や水中から排除すると共に、水温管理槽と水槽設置台を開発して、水中では水草や魚、水槽上部では陸生植物を植え、ハイドロカルチャー・テラリウム・アクアリウム等では表現できない世界を表現し、空間と調和のとれたお洒落な水槽を実現すると同時に、水槽として作られていない食器・花器などのガラス製品を個性的な水槽として楽しめる「面状発熱ヒーターを使った水温管理付き水槽」（特許文献３参照）が提案され、公知技術となっている。具体的には、鉢に植物を植える植え込み材に生物濾過能力を持たせ、多数の孔を設けた鉢底からエアーが鉢内を通過する事により根腐れを防ぎ、水槽の底に水路を設け、水槽の下に位置する水温管理槽を設置した上、温度センサーを内蔵し、水槽設置台に内蔵された面状発熱ヒーターにより温度管理し、エアレーションにより循環して水槽内に戻る構造を採る提案である。
【００１０】
しかしながら、上記提案によれば、水槽内下部に発熱ヒーターが設けられることによって、装置自体が複雑化ならびに高額化になると共に、水槽の上部が鉢によって密封されることによって、エアレーション設備の設置が必須条件となり、コストアップを招く、といった問題があった。
【００１１】
またさらに、水中では育成が困難な生物又は機材等を、同一水槽で観賞魚等と同居させ観賞しようとする「ダブルステージ水槽」（特許文献４参照）が提案され、公知技術となっている。具体的には、水槽に於いて、透明な仕切り板を用いて前後に仕切り、完全防水とし、前方のステージには水を入れ、観賞魚Ｆ等を入れ、後方のステージには水を入れないで植栽物・インテリア器材等を入れることを特徴とする提案である。
【００１２】
しかしながら、上記提案によれば、単に、観賞魚等を入れる水槽と、植栽物・インテリア器材等を入れる水槽を並べたものに過ぎない提案であって、観賞魚の飼育される水槽と植栽物の植込まれる植木鉢との共存効果を生むことができない提案であった。
【００１３】
さらにまた、水やりの手間のかからない便利な家庭用・業務用の植木鉢として、水槽兼用にして植物と鑑賞魚の組み合わせでおもしろいインテリア商品としての利用が可能で、外側の容器を透明にして水槽兼用にし、内側の容器に宣伝用のデザインを施すことによって、公共の場における新しい宣伝媒体として利用することができる「底面自動給水方式による植木鉢」（特許文献５参照）が提案され、公知技術となっている。具体的には、溜水容器と、溜水容器の中に設置され、下方部に通水孔をもつ培土容器と、底面に給水孔をもち溜水容器の上方かつ培土容器に隣接した位置に設けられた貯水タンクと、給水孔の真下に設けられ給水孔を開閉する止水弁と、溜水容器の中で止水弁の真下に設けられたフロートとから構成され、貯水タンクから給水孔を通じて流入した水によって溜水容器の水位が上昇したときに、フロートが上昇し止水弁を給水孔に押圧することによって給水孔を閉じ、水の流入を止めるようにした構造する提案である。
【００１４】
しかしながら、上記提案によれば、構造が複雑である上、植木鉢自体が高価になる、といった問題があるものであった。
【００１５】
本出願人は、以上のような従来から提案されている動植物共生観賞用鉢ならびに自動給水方式による植木鉢において、動植物の共生観賞ができると共に、植栽側への自然な給水がなされない点に着目し、自動給水設備を必要とすることなく安価で簡易な構造によって上記した問題を解決することができないものかという着想の下、観賞魚が飼育される水槽と植栽物が植込まれる植木鉢とを一体化しつつ、自然給水を可能にした器型の動植物共生観賞用鉢を開発し、本発明にかかる「動植物共生観賞用鉢」の提案に至るものである。
【先行技術文献】
【特許文献】
【００１６】
【特許文献１】特開２００８−１１９号公報
【特許文献２】特開２０１０−２３９９５３号公報
【特許文献３】特開２００６−２８８３７４号公報
【特許文献４】登録実用新案第３０３３１６２号公報
【特許文献５】再公表特許ＷＯ０１／０００００９号公報
【発明の概要】
【発明が解決しようとする課題】
【００１７】
本発明は、上記事情に鑑み、観賞魚が飼育される水槽と植栽物が植込まれる植木鉢とを一体化しつつ、植栽側への自然給水を可能した、器型の新規な動植物共生観賞用鉢を提供することを課題とするものである。
【課題を解決するための手段】
【００１８】
上記課題を解決するため、本発明は、観賞魚が飼育される水槽鉢部と、植栽物が植込まれる植木鉢部と、で構成される動植物共生観賞用鉢であって、前記動植物共生観賞用鉢は、上方が開口する所定形状を有した器型に形成されると共に、仕切り壁によって水槽鉢部と植木鉢部に二分割されて成り、前記仕切り壁には一乃至複数の通水孔が穿設されて成り、前記通水孔を介して前記水槽鉢部から前記植木鉢部に向けて水分が自然補給される手段を採る。
【００１９】
また、本発明は、前記仕切り壁に穿設される通水孔が、水槽鉢部側から植木鉢部側に向かって縮径されるテーパ状に形成されて成る手段を採る。
【００２０】
さらに、本発明は、前記仕切り壁における水槽鉢部側あるいは植木鉢部側の何れか一方若しくは両方の側面に、透水シートまたは不織布が貼設されて成る手段を採る。
【００２１】
またさらに、本発明は、前記植木鉢部における底面部所定箇所に、一乃至複数の水抜き孔が備えられて成る手段を採る。
【発明の効果】
【００２２】
本発明にかかる動植物共生観賞用鉢によれば、観賞魚が飼育される水槽と植栽物が植込まれる植木鉢とを一体化した器型にすることによって、動植物の共生観賞が同時にできる、といった優れた効果を奏する。
【００２３】
また、本発明にかかる動植物共生観賞用鉢によれば、仕切り壁によって水槽鉢部と植木鉢部に二分割され、該仕切り壁には一乃至複数の通水孔が穿設されていることによって、通水孔を介して水槽鉢部から植木鉢部に向けて水分が自然補給される、といった優れた効果を奏する。
【００２４】
さらに、本発明にかかる動植物共生観賞用鉢によれば、仕切り壁に穿設される通水孔が、水槽鉢部側から植木鉢部側に向かって縮径されるテーパ状に形成されて成ることによって、植木鉢容器内の土壌が水槽容器内へ流出することを最小限に留めることができると、いった優れた効果を奏する。
【００２５】
またさらに、本発明にかかる動植物共生観賞用鉢によれば、仕切り壁における水槽鉢部側あるいは植木鉢部側の何れか一方若しくは両方の側面に、透水シートまたは不織布が貼設されていることによって、水槽内への土壌の流出を防ぐと共に、厚みやメッシュを変えることで、植込まれる植物に対して必要／適当な水分摂取量に合わせて水分量を調節することができると、いった優れた効果を奏する。
【００２６】
さらにまた、本発明にかかる動植物共生観賞用鉢によれば、植木鉢部における底面部所定箇所に、一乃至複数の水抜き孔が備えられて成る構造を採用していることによって、水分過剰供給による根腐れが防止できると、いった優れた効果を奏する。
【図面の簡単な説明】
【００２７】
【図１】本発明にかかる動植物共生観賞用鉢の一実施形態を示す説明図である。（実施例１）
【図２】本発明にかかる動植物共生観賞用鉢の他の実施形態を示す断面拡大説明図である。（実施例２）
【図３】本発明にかかる動植物共生観賞用鉢の他の実施形態を示す断面拡大説明図である。（実施例３）
【図４】本発明にかかる動植物共生観賞用鉢の他の実施形態を示す断面説明図である。（実施例４）
【発明を実施するための形態】
【００２８】
本発明にかかる動植物共生観賞用鉢１０は、観賞魚Ｆが飼育される水槽鉢部２０と、植栽物Ｓが植込まれる植木鉢部２１と、で構成される動植物共生観賞用鉢１０であって、上方が開口する所定形状を有した器型に形成されると共に、仕切り壁２２によって水槽鉢部２０と植木鉢部２１に二分割されて成り、仕切り壁２２には一乃至複数の通水孔２３が穿設され、該通水孔２３を介して水槽鉢部２０から植木鉢部２１に向けて水分Ｗが自然補給されることで、動植物の共生および観賞が可能な手段を採用したことを最大の特徴とする。
以下、本発明にかかる動植物共生観賞用鉢１０の実施形態を、図面に基づいて説明する。
【００２９】
尚、本発明にかかる動植物共生観賞用鉢１０は、以下に述べる実施例に限定されるものではなく、本発明の技術的思想の範囲内、すなわち同一の作用効果を発揮できる形状や寸法等の範囲内で、適宜変更することができる。
【実施例１】
【００３０】
図１は、本発明にかかる動植物共生観賞用鉢の一実施形態を示す説明図であり、（ａ）は斜視図、（ｂ）は断面説明図である。
本実施形態にかかる動植物共生観賞用鉢１０は、観賞魚Ｆが飼育される水槽鉢部２０と、植栽物Ｓが植込まれる植木鉢部２１と、で構成され、上方が開口する所定形状を有した器型に形成される。
該動植物共生観賞用鉢１０の素材としては、特に限定するものではなく、例えば陶器製や合成樹脂製、金属製、ガラス製、木製などで成形されている。所定の形状、例えば円筒容器（図示）や角形容器、所定中間箇所が括れた容器等、種々の形状を有し、観賞魚Ｆを飼育可能な所要高さ（深さ）を有して成形されている。
【００３１】
水槽鉢部２０は、観賞魚Ｆが飼育される水槽部であり、該水槽部に水分Ｗが貯留されることにより、植栽物Ｓの土壌にその水分Ｗが自然補給されると共に、植栽物Ｓ全体の乾燥防止の役割を果たす。  飼育される観賞魚Ｆは、特に指定はないが、金魚、川小魚などの生きた魚のほか、鑑賞用水草や硝子装飾品などを鑑賞の対象とすることもできる。さらに、ディスプレイ用としてスポットライトや噴水装置を装備することによって、観賞用鉢としての付加価値を高めることもできる。
【００３２】
植木鉢部２１は、植栽物Ｓが植込まれる鉢部であり、該鉢部に植栽される植栽物Ｓの種類としては、例えば、観葉植物を初め、盆栽、草花、人工植物、ジオラマ等が植栽される。
【００３３】
仕切り壁２２は、動植物共生観賞用鉢１０を水槽鉢部２０と植木鉢部２１とに二分割する壁体であり、該仕切り壁２２には一乃至複数の通水孔２３が穿設されて形成される。
該仕切り壁２２の形状は特定されるものではなく、図示の様な直線状のほか、自然造形を模った曲線状や波形状等であっても構わない。さらに仕切り壁２２自体を着脱自在の構造とすることも可能である。その際、植栽物Ｓに対する水分Ｗの補給必要量に合わせて、通水孔２３の数量や大気さを変えた交換用パネルとすることもできる。
【００３４】
通水孔２３は、水槽鉢部２０に存する水分Ｗを植木鉢部２１に向けて自然補給し得るもので、小径の一乃至複数の孔によって形成される。
該通水孔２３の形状や数量は、特に限定するものではなく、植栽物Ｓに対する水分Ｗの補給必要量に合わせて、適宜決定される。
【００３５】
以上で構成される本実施形態にかかる動植物共生観賞用鉢１０は、観賞魚Ｆが飼育される水槽と植栽物Ｓが植込まれる植木鉢とを一体化した器型にすることによって、動植物の共生観賞が同時にできると共に、仕切り壁２２によって水槽鉢部２０と植木鉢部２１とに二分割され、該仕切り壁２２には一乃至複数の通水孔２３が穿設されていることによって、通水孔２３を介して水槽鉢部２０から植木鉢部２１に向けて水分Ｗが自然補給される動植物共生観賞用鉢１０の提供を可能にする。
【実施例２】
【００３６】
図２は、本発明にかかる動植物共生観賞用鉢１０の他の実施形態を示す断面拡大説明図である。上記実施例１と同様の構成については、説明を省略する。
本実施形態にかかる動植物共生観賞用鉢１０は、仕切り壁２２に穿設される通水孔２３が、水槽鉢部２０側から植木鉢部２１側に向かって縮径されるテーパ状に形成されて成る手段を採用するものである。
【００３７】
通水孔２３が水槽鉢部２０側から植木鉢部２１側に向かって縮径されるテーパ状に形成されていることによって、植栽物Ｓへの水分の補給機能を目詰まりすることなく供給可能とすると共に、植木鉢部２１側の土壌Ｄが水槽鉢部２０側へ流出することを最小限に留め、さらに植え替え時の清掃を容易にすることができる動植物共生観賞用鉢１０の提供を可能にする。
【実施例３】
【００３８】
図３は、本発明にかかる動植物共生観賞用鉢１０の他の実施形態を示す断面拡大説明図である。上記実施例１乃至２と同様の構成については、説明を省略する。
本実施形態にかかる動植物共生観賞用鉢１０は、仕切り壁２２における水槽鉢部２０側あるいは植木鉢部２１側の何れか一方若しくは両方の側面に、透水シートまたは不織布２４が貼設されて成る手段を採用するものである。
【００３９】
透水シートまたは不織布２４は、布繊維や合成樹脂繊維などにより網状若しくは格子状に成形されるものであって、植木鉢部２１側の土壌Ｄが水槽鉢部２０側へ流出するのを防ぐと共に、厚みやメッシュを変えることで、植込まれる植栽物Ｓの水分摂取量に合わせて水分Ｗの量を適宜調節することができる。
【００４０】
以上で構成される本実施形態にかかる動植物共生観賞用鉢１０は、植木鉢部２１に収容された土壌Ｄの水槽鉢部２０側への流出を防ぐことができるため、水槽鉢部２０内の水分Ｗを清浄に保つことができると共に、土壌Ｄに潜む雑菌による観賞魚Ｆへの影響を防ぐことが可能となる。
【実施例４】
【００４１】
図４は、本発明にかかる動植物共生観賞用鉢の他の実施形態を示す断面説明図であり、（ａ）は水抜き孔２５の説明図、（ｂ）はキャップＣ式の水抜き孔２５の説明図である。上記実施例１乃至３と同様の構成については、説明を省略する。
本実施形態にかかる動植物共生観賞用鉢１０は、植木鉢部２１における底面部所定箇所に、一乃至複数の水抜き孔２５が備えられて成る手段を採用するものである。
【００４２】
水抜き孔２５は、植木鉢部２１における底面部所定箇所に、一乃至複数設け、水分Ｗの過剰供給による根腐れを防止する役目を果たす。
また、水抜き穴を所定の大きさに形成し、その穴に複数の水抜き孔２５を設けたキャップＣ式とすることもできる。
【００４３】
以上で構成される本実施形態にかかる動植物共生観賞用鉢１０は、植木鉢部２１における底面部所定箇所に、一乃至複数の水抜き孔２５が備えられることで、植栽物Ｓに対する水分Ｗの補給量を調整できると共に、水分Ｗの過剰供給による根腐れが防止できると、いった優れた効果を奏する。
【産業上の利用可能性】
【００４４】
本発明は、観賞魚が飼育される水槽鉢部と、室内観賞植物が植込まれる植木鉢部との簡易構造によって構成され、さらに植栽側への水分の自然給水が可能でるため、安価且つメンテナンスの容易な動植物共生観賞用鉢を提供するものである。したがって、本発明にかかる「動植物共生観賞用鉢」の産業上の利用可能性は極めて大であるものと思料する。
【符号の説明】
【００４５】
１０    動植物共生観賞用鉢
２０    水槽鉢部
２１    植木鉢部
２２    仕切り壁
２３    通水孔
２４    透水シートまたは不織布
２５    水抜き孔
Ｗ    水分
Ｆ    観賞魚
Ｓ    植栽物
Ｄ    土壌
Ｃ    キャップ
【図１】
2020191821.tif 000003
【図２】
2020191821.tif 000004
【図３】
2020191821.tif 000005
【図４】
2020191821.tif 000006